(57)【要約】      （修正有）【課題】外観を楽しむのみならず、使用場所の特定や使用方法についての注意等を使用者に対し効果的に示すことができる清掃器具を提供する。【解決手段】拭材保持体Ａの上面中央部の両側縁にわたる部分に、物品配置部Ａ２を有し、拭材保持体Ａの長手方向両外側が外周側壁状部Ａ３により囲まれ、短手方向両外側は拭材保持体Ａの側縁部により構成される。物品配置部Ａ２は、環状の内周側壁状部Ａ４の外周側を囲み、その内側に柄体Ｂの基部が位置する。物品配置部Ａ２には、着色されたシート状配置物品が、挿通孔を柄体Ｂに挿通して載置され、透明合成樹脂製の環状の蓋体Ｃが挿通孔Ｃ１を柄体Ｂに挿通して配置物品が載置された物品配置部Ａ２を覆蓋した状態で拭材保持体Ａに着脱可能に結合されている。【選択図】図１
0003170445.tif 000002
【実用新案登録請求の範囲】
【請求項１】
清掃器具の作用部の背面側に物品配置部を有すると共に、
前記物品配置部を覆蓋し得る開閉可能な蓋体を有し、
前記物品配置部を前記蓋体で覆蓋した状態において、その蓋体の少なくとも一部を通じて物品配置部部内を外部から視認し得るものであることを特徴とする清掃器具。
【請求項２】
上記物品配置部が、上記作用部の背面側において、連続又は非連続の外周側壁状部により囲まれている請求項１記載の清掃器具。
【請求項３】
上記物品配置部が、上記作用部の背面側において、連続又は非連続の外周側溝状部により囲まれており、前記物品配置部を上記蓋体で覆蓋した状態において、その蓋体の一部が前記外周側溝状部に嵌合する請求項１記載の清掃器具。
【請求項４】
上記物品配置部が、上記作用部の背面側において、連続又は非連続の内周側壁状部の外周側を囲む部分である請求項１、２又は３記載の清掃器具。
【請求項５】
上記物品配置部が、上記作用部の背面側において、連続又は非連続の内周側溝状部の外周側を囲む部分であり、前記物品配置部を上記蓋体で覆蓋した状態において、その蓋体の一部が前記内周側溝状部に嵌合する請求項１乃至４の何れか１項に記載の清掃器具。
【請求項６】
上記物品配置部を上記蓋体で覆蓋した状態において、前記物品配置部と前記蓋体の間にシート状物品を収容し得る薄厚の空間が形成される請求項１乃至５の何れか１項に記載の清掃器具。
【請求項７】
上記蓋体の全部又は部分が透明である請求項１乃至６の何れか１項に記載の清掃器具。
【請求項８】
上記作用部の背面側に柄体の基部を有し、その柄体の基部が上記物品配置部に囲まれている請求項１乃至７の何れか１項に記載の清掃器具。
【請求項９】
上記蓋体が物品配置部に対し着脱し得るものであり、前記蓋体に、上記柄体を挿通し得る挿通孔を有する請求項８記載の清掃器具。
【請求項１０】
上記柄体を挿通し得る挿通孔を有する配置物品を備える請求項８又は９記載の清掃器具。
【請求項１１】
上記配置物品がシート状物品である請求項１０記載の清掃器具。
【請求項１２】
拭材を底面側に位置させて保持するモップヘッドの底面側が作用部であり、モップヘッドの上面側が作用部の背面側である請求項１乃至１１の何れか１項に記載の清掃器具。
【考案の詳細な説明】
【技術分野】
【０００１】
本考案は、清掃対象に対し作用する作用部と、その作用部の背面側とを有する清掃器具に関する。
【背景技術】
【０００２】
特表２００８−５３５６３３号公報には、清掃器具用支持体ヘッドであって、少なくとも１つの突起部と１つの凹部とを含む上部部品を含み、光が前記突起部を通過する場合、該突起部が、前記上部部品の下に位置付けられた表面上に可視の陰影領域と可視の明るい領域とを作り出すように、該突起部および前記凹部は、実質的に半透明な物質、および、実質的に透明な物質のうちの少なくとも１つで作製される清掃器具用支持体ヘッドが開示されている。
【０００３】
この清掃器具用支持体ヘッドは、これを備えた清掃器具を用いて清掃作業を行った場合に、外観又は視覚的印象が変化することにより、清掃作業をユーザーにとってより「おもしろい」又は楽しいものとすることができるものとされている。
【０００４】
しかしながら、外観を楽しむのみならず、使用場所の特定や使用方法についての注意等を使用者に対し効果的に示すことができる清掃器具については、特表２００８−５３５６３３号公報には示されていない。
【先行技術文献】
【特許文献】
【０００５】
【特許文献１】特表２００８−５３５６３３号公報
【考案の概要】
【考案が解決しようとする課題】
【０００６】
本考案は、従来技術に存した上記のような課題に鑑み行われたものであって、その目的とするところは、外観を楽しむのみならず、使用場所の特定や使用方法についての注意等を使用者に対し効果的に示すことができる清掃器具を提供することにある。
【課題を解決するための手段】
【０００７】
(1) 上記目的を達成する本考案の清掃器具は、
清掃器具の作用部の背面側に物品配置部を有すると共に、
前記物品配置部を覆蓋し得る開閉可能な蓋体を有し、
前記物品配置部を前記蓋体で覆蓋した状態において、その蓋体の少なくとも一部を通じて物品配置部部内を外部から視認し得るものであることを特徴とする。
【０００８】
物品配置部に、各種色彩・図柄・記号・文言等が表されたシート状物若しくは薄板状物又はその他の物品を載置した状態で、その物品配置部を蓋体により覆蓋することにより、前記物品が物品配置部に保持される。その状態において、その蓋体の少なくとも一部を通じて物品配置部内の前記物品を外部から視認し得る。
【０００９】
蓋体を通じて視認し得る物品配置部内の物品は、清掃器具の作用部の背面側に位置するので、清掃作業を行う際には作業者が必ず注目する。
【００１０】
そのため、一つの清掃器具において季節等に応じて或いはその他の理由により物品配置部に配置する物品を変えることにより、清掃器具の外観を適宜変更して使用することができる。
【００１１】
また、一つの清掃器具において物品配置部に配置するシート状物又はその他の物品における色彩・図柄・記号・文言等を変更するか或いは色彩・図柄・記号・文言等が異なる物品に変更することにより、清掃器具の使用方法、使用上の注意、使用場所等を使用者に示したり注意を喚起したりすることができる。
【００１２】
更に、複数の同種の清掃器具において物品配置部に配置するシート状物又はその他の物品における色彩・図柄・記号・文言等を別々のものとすることにより、それぞれの清掃器具の使用方法、使用上の注意、使用場所等を使用者に示したり注意を喚起したりすることができる。
【００１３】
(1-1) 上記物品配置部は、上記作用部の背面側において、連続又は非連続の外周側壁状部により囲まれていものとすることができる。
【００１４】
(1-2) 上記物品配置部が、上記作用部の背面側において、連続又は非連続の外周側溝状部により囲まれており、前記物品配置部を上記蓋体で覆蓋した状態において、その蓋体の一部が前記外周側溝状部に嵌合するものとすることができる。
【００１５】
(1-3) 上記物品配置部が、上記作用部の背面側において、連続又は非連続の内周側壁状部の外周側を囲む部分であるものとすることができる。
【００１６】
(1-4) 上記物品配置部が、上記作用部の背面側において、連続又は非連続の内周側溝状部の外周側を囲む部分であり、前記物品配置部を上記蓋体で覆蓋した状態において、その蓋体の一部が前記内周側溝状部に嵌合するものとすることができる。
【００１７】
(2) 本考案の清掃器具は、上記物品配置部を上記蓋体で覆蓋した状態において、前記物品配置部と前記蓋体の間にシート状物品を収容し得る薄厚の空間が形成されるものとすることができる。
【００１８】
(3) 本考案の清掃器具は、蓋体の全部又は部分が透明であるものとすることができる。
【００１９】
この場合、物品配置部を蓋体で覆蓋した状態において、その蓋体の透明部分である全部又は部分を通じて物品配置部部内を外部から視認し得る。
【００２０】
(4) 本考案の清掃器具は、清掃器具の作用部の背面側に柄体の基部を有し、その柄体の基部が上記物品配置部に囲まれているものとすることができる。
【００２１】
この場合、清掃器具の作用部の背面側における柄体の基部を囲繞するように物品配置部が位置する。
【００２２】
(4-1) 本考案の清掃器具は、上記蓋体が物品配置部に対し着脱し得るものであり、前記蓋体に、上記柄体を挿通し得る挿通孔を有するものとすることができる。
【００２３】
この場合、蓋体が挿通孔を有し、その挿通孔に柄体を挿通した状態で蓋体により物品配置部を覆蓋するので、清掃作業中に何らかの外力を蓋体が受けても蓋体が脱落することが防がれる。
【００２４】
(4-2) 本考案の清掃器具は、上記柄体を挿通し得る挿通孔を有する配置物品を備えるものとすることができる。
【００２５】
この場合、配置物品が挿通孔を有し、その挿通孔に柄体を挿通した状態で物品配置部に配置物品を配置するので、清掃作業中に何らかの外力を蓋体が受けて蓋体が開いても、配置物品が脱落することが防がれる。
【００２６】
(4-3) 本考案の清掃器具は、上記配置物品がシート状物品であるものとすることができる。
【００２７】
(5) 本考案の清掃器具は、拭材を底面側に位置させて保持するモップヘッドの底面側が作用部であり、モップヘッドの上面側が作用部の背面側であるものとすることができる。
【考案の効果】
【００２８】
本考案の清掃器具によれば、一つの清掃器具において季節等に応じて或いはその他の理由により物品配置部に配置する物品を変えることにより、清掃器具の外観を適宜変更して使用することができる。
【００２９】
また、一つの清掃器具において物品配置部に配置するシート状物又はその他の物品における色彩・図柄・記号・文言等を変更するか或いは色彩・図柄・記号・文言等が異なる物品に変更することにより、清掃器具の使用方法、使用上の注意、使用場所等を使用者に示したり注意を喚起したりすることができる。
【００３０】
更に、複数の同種の清掃器具において物品配置部に配置するシート状物又はその他の物品における色彩・図柄・記号・文言等を別々のものとすることにより、それぞれの清掃器具の使用方法、使用上の注意、使用場所等を使用者に示したり注意を喚起したりすることができる。
【図面の簡単な説明】
【００３１】
【図１】モップ用器具の斜視図である。
【図２】蓋体及び配置物品を物品配置部から取り外した状態のモップ用器具の要部拡大斜視図である。
【考案を実施するための形態】
【００３２】
(1)  本発明の実施の形態を、図面を参照しつつ説明する。
【００３３】
図面は何れも本発明の実施の形態の一例としての、拭材保持体Ａと柄体Ｂと蓋体Ｃと環状シート状の配置物品Ｄからなるモップ用器具Ｍ（清掃器具）に関するものである。
【００３４】
拭材保持体Ａは、平面視長方形状をなし、底面側に面ファスナー等により拭材（図示せず）を保持するものである。
【００３５】
柄体Ｂは、拭材保持体Ａの上側中央部に対し、何れの向きにも伏倒自在なように連結されている。
【００３６】
拭材保持体Ａの上面部、すなわち作用部（底面側）の背面側の中央部における両側縁にわたる部分に、平面視略円環状をなす物品配置部Ａ２を有する。
【００３７】
物品配置部Ａ２は、拭材保持体Ａの長手方向両外側が、連続した円弧状をなす外周側壁状部Ａ３により囲まれ、拭材保持体Ａの短手方向両外側は、拭材保持体Ａの側縁部により構成されている。また、物品配置部Ａ２は、連続した環状の内周側壁状部Ａ４の外周側を囲んでいる。拭材保持体Ａの上面部における物品配置部Ａ２の内周側である内周側壁状部Ａ４の内側に、柄体Ｂの基部が位置している。
【００３８】
物品配置部Ａ２には、着色された環状シート状の配置物品Ｄが、その挿通孔Ｄ１を柄体Ｂに挿通して載置され、更に、透明合成樹脂製の環状の蓋体Ｃが、その挿通孔Ｃ１を柄体Ｂに挿通して配置物品Ｄが載置された物品配置部Ａ２を覆蓋した状態で拭材保持体Ａの上部部材Ａ２に着脱可能に結合されている。物品配置部Ａ２を蓋体Ｃで覆蓋した状態において、物品配置部Ａ２と蓋体Ｃの間には環状シート状の配置物品Ｄを収容し得る薄厚の空間が形成されている。
【００３９】
蓋体Ｃが挿通孔Ｃ１を有し、その挿通孔Ｃ１に柄体Ｂを挿通した状態で蓋体Ｃにより物品配置部Ａ２を覆蓋するので、清掃作業中に何らかの外力を蓋体Ｃが受けても蓋体Ｃが脱落することが防がれる。また、配置物品Ｄが挿通孔Ｄ１を有し、その挿通孔Ｄ１に柄体Ｂを挿通した状態で物品配置部Ａ２に配置物品Ｄを配置するので、清掃作業中に何らかの外力を蓋体Ｃが受けて蓋体Ｃが開いても、配置物品Ｄが脱落することが防がれる。
【００４０】
蓋体Ｃを拭材保持体Ａから外して柄体Ｂから抜き、且つ、配置物品Ｄを物品配置部Ａ２から外して柄体Ｂから抜くことにより、配置物品Ｄを別の色のもの或いは他のデザインのものに変更することができる。
【００４１】
配置物品Ｄは、蓋体Ｃを通じて外部から視認し得る。蓋体Ｃを通じて視認し得る物品配置部Ａ２内の物品は、モップ用器具Ｍの作用部の背面側である上面に位置するので、清掃作業を行う際には作業者が必ず注目する。
【００４２】
そのため、一つのモップ用器具Ｍにおいて季節等に応じて或いはその他の理由により物品配置部Ａ２に配置する配置物品Ｄを変えることにより、モップ用器具Ｍの外観を適宜変更して使用することができるのみならず、一つのモップ用器具Ｍにおいて物品配置部Ａ２に配置する配置物品Ｄの色彩・図柄・記号・文言等により、モップ用器具Ｍの使用方法、使用上の注意、使用場所等を使用者に示したり注意を喚起したりすることができる。
【００４３】
更に、複数の同種のモップ用器具Ｍにおいて物品配置部Ａ２に配置する配置物品Ｄにおける色彩・図柄・記号・文言等を別々のものとすることにより、それぞれのモップ用器具Ｍの使用方法、使用上の注意、使用場所等を使用者に示したり注意を喚起したりすることができる。
【００４４】
(2)  清掃器具の例としては、不織布等の清掃用シートや織布やその他の拭材等を底面側に位置させて保持するモップの他、底面側にブラシ毛を有する植え込みブラシ等のブラシ、スポンジや合成繊維ウェブ等を底面側に保持した洗浄具等を挙げることができる。拭材としては、一般には、正方形状又は長方形状の不織布製のものを用いるが、これに限るものではない。
【００４５】
拭材は、いわゆる乾拭きの他、洗浄液を使用して拭くもの等であってもよい。拭材の保持は、不織布拭材の場合、一般的には例えば尖端部を備えたエラストマー製の水平状の舌片が２以上向かい合ってなるものを用いることができるが、このような態様に限るものではなく、機械的に挟圧保持するもの等を採用することもできる。
【００４６】
清掃対象に作用する作用部及びその背面側は、拭材を底面側に位置させて保持するモップにおける拭材保持体の底面側及び上面側、底面側にブラシ毛を有する植え込みブラシ等のブラシのブラシ毛保持部の底面側及び上面側、並びに、スポンジや合成繊維ウェブ等を洗浄材を底面側に保持した洗浄具の洗浄材保持部の底面側及び上面側である。なお、清掃対象に作用する作用部が例えば前面側であればその背面側は後面側である。
【００４７】
(3)  物品配置部は、清掃器具の作用部の背面側に位置する。
【００４８】
清掃器具の作用部の背面側は形態保持性を有するものであることが望ましい。
【００４９】
物品配置部は、作用部の背面側において、連続又は非連続の外周側壁状部により囲まれていものとすることができ、作用部の背面側において、連続又は非連続の内周側壁状部の外周側を囲む部分であるものとすることもできる。物品配置部は、例えば、周囲よりも窪んだ凹部とし、連続又は非連続の周壁状部を構成する凹部の外周面により囲まれたものとすることや、周囲に立ち上げられた連続又は非連続の周壁状部により囲まれたものとすることができる。
【００５０】
また物品配置部は、作用部の背面側において、連続又は非連続の外周側溝状部により囲まれており、物品配置部を蓋体で覆蓋した状態において、その蓋体の一部が外周側溝状部に嵌合するものとすることができ、作用部の背面側において、連続又は非連続の内周側溝状部の外周側を囲む部分であり、物品配置部を上記蓋体で覆蓋した状態において、その蓋体の一部が前記内周側溝状部に嵌合するものとすることもできる。
【００５１】
物品配置部は、物品配置部を囲繞する連続又は非連続の周壁状部の高さ又は蓋体の形状は物品に応じたものとすることができる。
【００５２】
例えば、物品配置部を蓋体で覆蓋した状態において、物品配置部と蓋体の間にシート状物品を収容し得る薄厚の空間が形成されるものとすることができる。
【００５３】
物品配置部に載置する配置物品が各種色彩・図柄・記号・文言等が表されたシート状物若しくは薄板状物である場合、例えば、紙、合成樹脂フィルム、不織布、合成樹脂又は合成ゴム板、金属板等である場合、前記連続又は非連続の外周側壁状部や連続又は非連続の内周側壁状部の高さ、或いは、蓋体の高さは低いもので十分であり、高いものは必要としない。
【００５４】
(4)  蓋体は、物品配置部を覆蓋し得、且つ開閉可能なものである。
【００５５】
蓋体は、蓋体を開いた場合に清掃器具の本体から分離可能なものとすることができる他、清掃器具の本体にヒンジ部等の連結部を介して開閉可能に連結したものとすることもできる。
【００５６】
蓋体は、物品配置部を覆蓋した状態において、その蓋体の少なくとも一部を通じて物品配置部部内を、従って物品配置部に配置された物品を、外部から視認し得るものである。従って、蓋体は全部又は部分が透明であるものとすることができる。
【００５７】
(5)  清掃器具の作用部の背面側（例えばモップヘッドの上面）には、清掃器具を操作するための柄体の基部を有するものとすることができる。その場合、物品配置部に囲まれた位置に柄体の基部が位置するものとすることができる。柄体の基部は、例えば、清掃器具の作用部の背面側（例えばモップヘッドの上面）における中央部に伏倒自在に連結することができる他、清掃器具の作用部の背面側の端部付近に位置するものとすることもできる。
【００５８】
この場合、蓋体が物品配置部に対し着脱し得るものであり、蓋体が、環状板形状をなすもの等、柄体を挿通し得る挿通孔を有するものとすることができる。また、柄体を挿通し得る挿通孔を有する配置物品、例えば環状シートや環状薄板等を備えるものとすることができる。蓋体が物品配置部に対し着脱し得、柄体を挿通し得る挿通孔を有するものであると共に、柄体を挿通し得る挿通孔を有する配置物品を備えるものとすることができる。
【符号の説明】
【００５９】
Ａ      拭材保持体
Ａ２    物品配置部
Ａ３    外周側壁状部
Ａ４    内周側壁状部
Ｂ      柄体
Ｃ      蓋体
Ｃ１    挿通孔
Ｄ      配置物品
Ｄ１    挿通孔
Ｍ      モップ用器具
【図１】
0003170445.tif 000003
【図２】
0003170445.tif 000004